(57)【要約】【課題】乳幼児が敷き布団から出たことを感知して警報を発し、親や保護者がそれにより乳幼児を蒲団の上に戻したり、抱き上げたりすることを促す乳幼児の移動警報装置を提供する。【解決手段】乳幼児の寝具の周囲のいずれかの場所に立てることのできる板状の乳幼児移動感知体１と、乳幼児移動感知体１が倒れたときに警報を発する警報発生器２とを備えた乳幼児の移動警報装置。乳幼児移動感知体１は、軽量のプラスチックあるいは発泡プラスチック、木材等で作られた長方形の板３を複数枚、ヒンジ４で連結して自立できるようにしたものであり、非使用時には折り畳んで、コンパクトにすることができる。警報発生器２は、板３のひとつに凹部を設けて埋め込まれている。【選択図】  図１
2013022267.tif 000002
【特許請求の範囲】
【請求項１】
乳幼児の寝具の周囲のいずれかの場所に立てることのできる板状の乳幼児移動感知体と、前記乳幼児移動感知体が倒れたときに警報を発する警報発生器とを備えたことを特徴とする乳幼児の移動警報装置。
【請求項２】
前記乳幼児移動感知体は、屏風状に折り畳み可能である請求項１記載の乳幼児の移動警報装置。
【請求項３】
前記警報発生器は、傾斜センサと、音声発生器と、スピーカとを含む請求項１又は２に記載の乳幼児の移動警報装置。
【発明の詳細な説明】
【技術分野】
【０００１】
本発明は、乳幼児が眠っているときに無意識に布団から出て体が冷えたり風邪をひいたりすることを未然に防止するための警報を発する装置に関する。
【背景技術】
【０００２】
０歳から３歳頃までの乳幼児は、布団やベッドに寝かせても、無意識に足を蹴って布団やベッドの頭の方に上がって、布団やベッドから出ることがある。特に、室温が低いときに掛け布団を着せておくと、寝汗をかいて布団から出たままになり、体が冷えて風邪をひきやすい。
【０００３】
親や保護者が布団から出ている乳幼児に気付けば布団の中に入れてやることができるが、親や保護者も眠っていたり他のことをしていたりすると、乳幼児が布団から出ていることに気付かないまま放置することになる。
【０００４】
特許文献１には、敷布団の周囲を囲むコの字型をしたビニール製又は布製でできた半円型のエアークッションが開示されており、それによって寝相の悪さで敷布団から体がはみだすことを解消するようにしている。
【０００５】
特許文献２には、うさぎの形をした掛け蒲団で、蒲団の上部の顔上に耳を設け、胴体の四隅に手、足を設けた掛け布団が開示されている。これを使用する時は、うさぎの耳が乳幼児の肩を覆うように掛け、うさぎの胴体部を乳幼児の膝の上まで掛ける。しかもうさぎの耳、手足の部分が重し代わりとなり、乳幼児が寝返りしても体にフィットしてふとんからはみ出すことがなく、また、膝上までの長さなので蹴っ飛ばす心配もないということである。
【先行技術文献】
【特許文献】
【０００６】
【特許文献１】特開２００６−３３４３５６号公報
【特許文献２】特開２０００−８３７８４号公報
【発明の概要】
【発明が解決しようとする課題】
【０００７】
しかしながら、特許文献１に記載されたエアークッションでは、乳幼児の蹴る力が予測した以上であればエアークッションを乗り越えて蒲団の外に出る可能性があり、安心できない。
【０００８】
特許文献２に記載された掛け布団では、寝返りを打ったりしてうさぎの耳が乳幼児の肩から外れると掛け布団は移動し、乳幼児が足を蹴って、敷き布団から出ることは避けられない。
【０００９】
特許文献１，２のいずれも、乳幼児が敷き布団から出ないように体を拘束するという発想であり、子供の自然な動きを規制することが適正かどうか疑問である。
【００１０】
そこで本発明は、乳幼児が敷き布団から出たことを感知して警報を発し、親や保護者がそれにより乳幼児を蒲団の上に戻したり、抱き上げたりすることを促す乳幼児の移動警報装置を提供することを目的とする。
【課題を解決するための手段】
【００１１】
前記課題を解決するため、本発明の乳幼児の移動警報装置は、乳幼児の寝具の周囲のいずれかの場所に立てることのできる板状の乳幼児移動感知体と、前記乳幼児移動感知体が倒れたときに警報を発する警報発生器とを備えたことを特徴とする。
【００１２】
本発明では、０歳から３歳頃までの乳幼児が無意識にあるいは意識的に足を蹴って敷き布団を出たときに、乳幼児の頭や手足が板状の乳幼児移動感知体を押すことにより乳幼児移動感知体が倒れる。これを警報発生器が感知し警報を発する。この警報は、例えばブザーのような音や曲のメロディー、親や保護者に注意を促す音声とすることができる。この警報に気付いた親や保護者は、乳幼児が眠ったままであれば乳幼児を蒲団に戻すか、起きたときは抱き上げてあやしたり飲食物を与えたりの通常の対応をすることができる。これにより、乳幼児を放置したままで体が冷えたり風邪をひいたりすることを防ぐことができる。また、乳幼児の動きを拘束することはないので、乳幼児の成長や精神状態には何ら悪影響を及ぼさない。なお、３歳以上になると、幼児は寝返りにより布団の横に移動するようになるので、本発明は、３歳位までの乳幼児が対象である。
【００１３】
板状の乳幼児移動感知体は、屏風状に折り畳み可能とすることにより、使用しないときに折り畳んでコンパクトにすることができる。
警報発生器は、傾斜センサと、音声発生器と、スピーカとを含む構成とすることにより、コンパクトに作ることができる。
【発明の効果】
【００１４】
本発明によれば、乳幼児の寝具の周囲のいずれかの場所に立てることのできる板状の乳幼児移動感知体と、乳幼児移動感知体が倒れたときに警報を発する警報発生器とを備えた乳幼児の移動警報装置であるので、乳幼児が敷き布団から出たことを感知して警報を発し、親や保護者がそれにより乳幼児を蒲団の上に戻したり、抱き上げたりすることを促すことができる。
【図面の簡単な説明】
【００１５】
【図１】本発明の実施の形態に係る乳幼児の移動警報装置の使用状態の斜視図である。
【図２】本発明の実施の形態に係る乳幼児の移動警報装置の折り畳んだ状態の斜視図である。
【図３】本発明の実施の形態に係る乳幼児の移動警報装置における警報発生器の構成例を示す回路図である。
【発明を実施するための形態】
【００１６】
以下、本発明の実施の形態を、図面を用いて具体的に説明する。
図１および図２に示すように、本実施の形態の乳幼児の移動警報装置は、乳幼児の寝具の周囲のいずれかの場所に立てることのできる板状の乳幼児移動感知体１と、乳幼児移動感知体１が倒れたときに警報を発する警報発生器２とを備えたものである。乳幼児移動感知体１は、本実施の形態では、乳幼児の上に倒れても痛くないように軽量のプラスチックあるいは発泡プラスチック、木材等で作られた長方形の板３を複数枚、ヒンジ４で連結して開いた状態で自立できるようにしたものであり、非使用時には図２に示すように板３を折り畳んで、ゴムベルト５で縛ることによりコンパクトにすることができる。板３は、倒れたときに乳幼児を傷付けないように、角や上下面、側面に丸みを持たせる。
【００１７】
乳幼児移動感知体１の、開いたときの大きさは、本例では高さ２０ｃｍ、幅４０〜５０ｃｍ、厚さ２〜３ｃｍとしたが、この大きさに限定されるものではない。また、乳幼児移動感知体１は、開いたときに安定して自立することと、乳幼児が動いて頭部や手足が触れたときに倒れることの２つの条件を満たすことが必要であり、必要に応じて、板３の下部に重りを付けたり、厚みを大きくしたりすることもある。
【００１８】
警報発生器２は、板１のひとつに凹部を設けて埋め込むようにしたものであり、蓋６を被せている。蓋６には、警報発生器２のスイッチ２ａが出る穴が設けられている。
【００１９】
図３は警報発生器２の構成を示す回路図であり、電池１０と、傾斜センサ１１と、アンプ１２と、音声発生器１３と、スピーカ１４と、発振器１５とＬＥＤ（発光ダイオード）１６が内蔵されている。傾斜センサ１１は、警報発生器２が傾いたり倒れたりしたときに出力が出るセンサであり、加速度センサ方式、水準器方式、錘方式、ボール方式など各種のものが使用できる。傾斜センサ１１の出力はアンプ１２により増幅され、所定の出力が出ると、音声発生器１３に出力指令を出す。音声発生器１３では、予め記憶されたブザー音、曲のメロディー、あるいは人の音声の信号を出力し、スピーカ１４から音声として出力する。警報発生器２を内蔵した板３には、スピーカ１４からの音が外部に出やすいように、穴３ａを設けることが好ましい。
【００２０】
なお、傾斜センサ１１の部分と音声発生器１３およびスピーカ１４の部分を分離し、電波か赤外線等でワイヤレスに傾斜信号を伝送することで、少し離れた場所でも、警報を受信するようにすることも可能である。
【００２１】
以上の構成の乳幼児の移動警報装置を、図１に示すように乳幼児が寝ている敷き布団の周囲、本例では頭の方に立てた状態で設置する。板２は開いて設置したときに自立できるように厚みを設定する。ゴムベルト５は、開いた状態と閉じた状態を保持する作用を有する。次いで、警報発生器２のスイッチ２ａを入れる。これで、警報待機状態となる。警報待機状態であることは、ＬＥＤ１６が一定の周期で点滅していることで確認できる。
【００２２】
乳幼児が動いて敷き布団から上の方に行き、乳幼児移動感知体１が倒れると、警報発生器２も倒れるため、傾斜センサ１１が作動し、最終的にスピーカ１４から、予め規定された音声が発せられる。これにより、親や保護者が寝ていた場合や他のことをしていても気付くことになり、親や保護者は、乳幼児が眠ったままであれば乳幼児を蒲団に戻すか、目が覚めたときには抱き上げてあやしたり飲食物を与えたりの通常の対応をすることができる。これにより、乳幼児を放置したままで体が冷えたり風邪をひいたりすることを防ぐことができる。また、乳幼児の動きを拘束することはないので、乳幼児の成長や精神状態には何ら悪影響を及ぼさない。
【００２３】
倒れた乳幼児移動感知体１は、スイッチ２ａを切ることにより、警報が停止する。再び使用するには、乳幼児移動感知体１を立ててスイッチ２ａを入れることにより使用可能になる。
【産業上の利用可能性】
【００２４】
本発明は、乳幼児が敷き布団から出たことを感知して警報を発し、親や保護者がそれにより乳幼児を蒲団の上に戻したり、抱き上げたりすることを促す乳幼児の移動警報装置として、育児用品の分野に好適に利用することができる。
【符号の説明】
【００２５】
１  乳幼児移動感知体
２  警報発生器
２ａ  スイッチ
３  板
３ａ  穴
４  ヒンジ
５  ゴムベルト
６  蓋
１０  電池
１１  傾斜センサ
１２  アンプ
１３  音声発生器
１４  スピーカ
【図１】
2013022267.tif 000003
【図２】
2013022267.tif 000004
【図３】
2013022267.tif 000005
【手続補正書】
【提出日】平成23年10月28日(2011.10.28)
【手続補正１】
【補正対象書類名】特許請求の範囲
【補正対象項目名】全文
【補正方法】変更
【補正の内容】
【特許請求の範囲】
【請求項１】
乳幼児の寝具の周囲のいずれかの場所に立てることのできる、屏風状に折り畳み可能である板状の乳幼児移動感知体と、前記乳幼児移動感知体が倒れたときに警報を発する警報発生器とを備えたことを特徴とする乳幼児の移動警報装置。
【請求項２】
前記警報発生器は、傾斜センサと、音声発生器と、スピーカとを含む請求項１記載の乳幼児の移動警報装置。
【手続補正２】
【補正対象書類名】明細書
【補正対象項目名】００１１
【補正方法】変更
【補正の内容】
【００１１】
前記課題を解決するため、本発明の乳幼児の移動警報装置は、乳幼児の寝具の周囲のいずれかの場所に立てることのできる、屏風状に折り畳み可能である板状の乳幼児移動感知体と、前記乳幼児移動感知体が倒れたときに警報を発する警報発生器とを備えたことを特徴とする。
【手続補正３】
【補正対象書類名】明細書
【補正対象項目名】００１４
【補正方法】変更
【補正の内容】
【００１４】
本発明によれば、乳幼児の寝具の周囲のいずれかの場所に立てることのできる、屏風状に折り畳み可能である板状の乳幼児移動感知体と、乳幼児移動感知体が倒れたときに警報を発する警報発生器とを備えた乳幼児の移動警報装置であるので、乳幼児が敷き布団から出たことを感知して警報を発し、親や保護者がそれにより乳幼児を蒲団の上に戻したり、抱き上げたりすることを促すことができる。また、使用しないときに折り畳んでコンパクトにすることができる。